(57)【特許請求の範囲】
【請求項１】
壁に形成された挿通孔を介して壁の背面側に配置される取付具本体と、この取付具本体を壁に保持する保持具とを備え、取付具本体は、壁の背面に接当する脚体と、壁に被取付体を取り付けるための取付ボルトが螺合されるネジ孔を有するベース部材と、雌ねじ部とを備えており、保持具は、取付具本体の雌ねじ部に螺合される軸部と、壁の表面側に接当するフランジ部とを備え、前記軸部を壁の表面側から前記挿通孔を介して取付具本体の雌ねじ部に螺合させて前記脚体と前記フランジ部とで壁を挟持することにより取付具本体を壁に保持するように構成した取付装置において、
取付具本体の雌ねじ部は、ベース部材から保持具のフランジ部に向けて突出状とされた複数の弾性片をプレス加工することで該弾性片に形成されたネジ溝によって構成され、薄厚の壁に取付具本体を保持させる場合において、保持具の軸部を取付具本体の雌ねじ部に螺合させて保持具に対して取付具本体を引き寄せる際に、弾性片が折れ曲ることで保持具に対する取付具本体の移動を許容すべく、弾性片を折曲させるように案内するガイド面が保持具のフランジ部に設けられていることを特徴とする取付装置。
【請求項２】
ベース部材には、弾性片の基部側の拡開を規制する規制部が設けられていることを特徴とする請求項１に記載の取付装置。
【請求項３】
脚体は、ベース部材から突出状に設けられると共に基部側がベース部材に揺動自在に支持されていて、壁の挿通孔の軸心方向に沿う閉じ姿勢と、壁の背面に接当する開き姿勢とに姿勢変更自在とされ、取付具本体には、脚体を、閉じ姿勢又は開き姿勢から、閉じ姿勢と開き姿勢との間の中間姿勢に付勢するバネ体を備えていることを特徴とする請求項１又は２に記載の取付装置
【請求項４】
脚体の、壁背面に接当する接当面がフラットな面に形成されていることを特徴とする請求項１〜３のいずれかに記載の取付装置。
【請求項５】
取付具本体のネジ孔に螺合される雄ねじ部を有していて、取付具本体を壁の挿通孔に挿通させる際に取付具本体を支持する支持部材を備えると共に、取付具本体のネジ孔又は雌ねじ部の、一方が右ねじとされ、他方が左ねじとされていることを特徴とする請求項１〜４のいずれかに記載の取付装置。
【請求項６】
保持具のフランジ部には、該フランジ部の一部を引起し可能とすることで構成された一対の摘み片が形成されていることを特徴とする請求項１〜５のいずれかに記載の取付装置。
【発明の詳細な説明】
【０００１】
【発明の属する技術分野】
本発明は、手摺り等の被取付体を、壁に取り付けるのに使用される取付装置に関するものである。
【０００２】
【従来の技術】
例えば、壁に後付けで手摺りを取り付けるのに使用される取付装置として、図１６及び図１７に示すようなものがある（特開２０００−１４５０８９号公報参照）。
この取付装置５３は、壁５４に形成された挿通孔５５に挿通されて壁５４の背面５４Ａ側に配置される取付具本体５６と、この取付具本体５６に着脱自在に取り付けられて該取付具本体５６を挿通孔５５に挿通させる際に支持するための支持棒５７と、取付具本体５６を壁５４に保持する保持具５８とを備えている。
【０００３】
取付具本体５６は、取付ナット５９と、この取付ナット５９の外周部に周方向に所定間隔をおいて配置され且つ揺動自在に取り付けられて開閉自在とされた８本の脚体６０と、各脚体６０を開く方向に付勢するバネ片６１を有するバネ体６２とを備えている。
バネ体６２は、脚体６０の正面側に配置されていて、脚体６０の正面側には、バネ片６１を収容する凹部６５が形成されている。
保持具５８は、円筒状で且つ外周面に雄ねじが形成された軸部６３と、壁５４の挿通孔５５に嵌合し且つ挿通孔５５周囲の壁表面５４Ｂに接当するフランジ部６４とを有する。
【０００４】
取付ナット５９は、円形状に形成されていて、中心部に、手摺り６６を取り付けるための取付ボルト６７が螺合されるネジ孔６８が形成されていると共に、筒部６９が形成され、この筒部６９の内周面には、保持具５８の軸部６３が螺合される雌ねじ部７０が形成されている。
支持棒５７は、先端側に、取付ナット５９のネジ孔６８に螺合可能な雄ねじ部７１を有し、後端側に、保持具５８の軸部６３の後端側に係合する係合突起７２を有する。
【０００５】
この取付装置５３にあっては、保持具５８の軸部６３に支持棒５７を挿通すると共に、支持棒５７の雄ねじ部７１をナット部材５９のネジ孔６８に螺合し、この状態で、脚体６０を倒して閉じ姿勢にした状態で、取付具本体５６を壁５４に形成した挿通孔５５に、壁表面５４Ｂ側から壁背面５４Ａ側へと挿通させると、脚体６０は、バネ片６１の付勢力により壁５４の背面５４Ａ側にて開く。
次に、支持棒５７を引いて、脚体６０を壁５４の背面５４Ａに押圧させると共に、この状態を維持して、保持具５８を回して、軸部６３を取付ナット５９の雌ねじ部７０に螺合する。
【０００６】
次に、支持棒５７を回して、雄ねじ部７１をネジ孔６８から螺退させて抜脱し、支持棒５７の係合突起７２を保持具５８の軸部６３後端側に係合させて、保持具５８を増し締めする。
すると、脚体６０と、保持具５８のフランジ部６４の外周側部分とで壁５４が挟持されることで、取付具本体５６が壁５４に取り付けられて保持されるようになっている。
以上のようにして、壁５４に取り付けられた取付具本体５６に対して、保持具５８の軸部６３に挿通されてネジ孔６８に螺合される取付ボルト７３によって、手摺り７４が取り付けられる。
【０００７】
すなわち、手摺り７４の端部側に設けられた固定部７５には、取付ボルト７３によって壁５４に固定される被取付部７６が備えられており、ボルト７３を、その先端側から被取付部７６の挿通孔７７に挿通させた後、保持具５８の軸部６３に挿通し、さらに、取付ボルト７３をネジ孔６８に螺合させることで、壁５４に手摺り７４が取り付けられるようになっている。
【０００８】
【発明が解決しようとする課題】
前記従来のものにあっては、雌ねじ部７０は、取付ナット５９の筒部６９の内周面に切削によって形成されており、これがコストアップの一因となっている。
また、前記取付具本体５６にあっては、脚体６０が壁５４の背面５４Ａに接当した状態で、取付ナット５９の筒部６９が壁５４の挿通孔５５から突出するような、厚さが薄い壁５４には、取り付けできない。
また、取付ナット５９のネジ孔６８及び雌ねじ部７０、支持棒５７の雄ねじ７１、保持具５８の軸部６３外周面の雄ねじは、通常右ねじとなるように形成されるが、これらが共に右ねじで形成されると、取付具本体５６を保持具５８で壁５４に取り付ける際において、取付具本体５６が保持具５８と連れ回りして、取付具本体５６が支持棒５７から外れて脱落する惧れがある。
【０００９】
また、取付具本体５６を保持具５８によって壁５４に取り付ける際において、雌ねじ部７０に対する軸部６３の締め付けがあまいと、壁背面５４Ａが比較的滑りやすい壁面である場合に、取付ボルト７３をネジ孔６８に螺合する際の、作業性に影響を与える。
また、壁５４の背面５４Ａに、発泡材等によって形成された板材が付着されている場合において、手摺り７４に、脚体６０が壁背面５４Ａに押し付けられるような衝撃的な荷重が作用した場合、脚体６０の、壁背面５４Ａに接当する接当面には、バネ体６２のバネ片６１を収容する凹部６５が形成されているので、脚体６０の、壁背面５４Ａ側に接当する接当面の面圧が高く、脚体６０が壁５４の背面５４Ａ側に食い込む惧れがあり、脚体６０が壁５４の背面５４Ａ側に食い込むと、手摺り７４の取付部分がガタ付く。
【００１０】
また、保持具５８のフランジ部６４の外周側部分は、手摺り７４の被取付部７６と壁５４との間に介在されるので、薄肉に形成されており、保持具５８の軸部６３を取付ナット５９の雌ねじ部７０に螺合させる際に、保持具５８を回しにくいという欠点もある。
本発明は、前記問題を解消した取付装置を提供することを目的とする。
【００１１】
【課題を解決するための手段】
本発明が技術的課題を解決するために講じた技術的手段は、壁に形成された挿通孔を介して壁の背面側に配置される取付具本体と、この取付具本体を壁に保持する保持具とを備え、取付具本体は、壁の背面に接当する脚体と、壁に被取付体を取り付けるための取付ボルトが螺合されるネジ孔を有するベース部材と、雌ねじ部とを備えており、保持具は、取付具本体の雌ねじ部に螺合される軸部と、壁の表面側に接当するフランジ部とを備え、前記軸部を壁の表面側から前記挿通孔を介して取付具本体の雌ねじ部に螺合させて前記脚体と前記フランジ部とで壁を挟持することにより取付具本体を壁に保持するように構成した取付装置において、
取付具本体の雌ねじ部は、ベース部材から保持具のフランジ部に向けて突出状とされた複数の弾性片をプレス加工することで該弾性片に形成されたネジ溝によって構成され、薄厚の壁に取付具本体を保持させる場合において、保持具の軸部を取付具本体の雌ねじ部に螺合させて保持具に対して取付具本体を引き寄せる際に、弾性片が折れ曲ることで保持具に対する取付具本体の移動を許容すべく、弾性片を折曲させるように案内するガイド面が保持具のフランジ部に設けられていることを特徴とする。
【００１２】
また、ベース部材には、弾性片の基部側の拡開を規制する規制部が設けられているのがよい。
また、脚体は、ベース部材から突出状に設けられると共に基部側がベース部材に揺動自在に支持されていて、壁の挿通孔に挿通する方向に沿う閉じ姿勢と、壁の背面に接当する開き姿勢とに姿勢変更自在とされ、取付具本体には、脚体を、閉じ姿勢又は開き姿勢から、閉じ姿勢と開き姿勢との間の中間姿勢に付勢するバネ体を備えているのがよい。
【００１３】
また、脚体の、壁背面に接当する接当面がフラットな面に形成されているのがよい。
また、取付具本体のネジ孔に螺合される雄ねじ部を有していて、取付具本体を壁の挿通孔に挿通させる際に取付具本体を支持する支持部材を備えると共に、取付具本体のネジ孔又は雌ねじ部の、一方が右ねじとされ、他方が左ねじとされているのがよい。
また、保持具のフランジ部には、該フランジ部の一部を引起し可能とすることで構成された一対の摘み片が形成されているのがよい。
【００１４】
【発明の実施の形態】
以下、本発明の実施の形態を図面を参照して説明する。
図４において、１は、建物等の壁２に、後付けで手摺り３等の被取付体を取り付けるための取付装置であり、主として、取付部分に比較的大きな荷重が作用するような被取付体を取り付けるのに好適な取付装置である。
この取付装置１は、壁２に取り付けられる取付具４と、この取付具４を壁２に取り付ける際に使用される支持部材５（取付補助具）とから主構成されている。
【００１５】
取付具４は、図１にも示すように、壁２に形成された挿通孔６を介して壁２の背面２Ａ側に配置される取付具本体７と、この取付具本体７を壁２に保持させる（仮止めする）ための保持具８とから主構成されている。
取付具本体７は、図１〜図４に示すように、ベース部材９と、ナット体１０と、複数個の脚体１１と、バネ体１２とを備えてなり、これらは金属プレス加工により形成されていて、安価に形成されている。
ベース部材９は、図５にも示すように、円板の外周面に周方向に所定間隔をおいて切欠部１３が形成されてなるベース本体９Ａを備えている。
【００１６】
前記切欠部１３は、本実施の形態では６箇所形成されており、ベース本体９Ａの正面側外周部には、各切欠部１３に対応する位置に、正面側に突出する規制部１４が形成されており、各規制部１４間には、ベース本体９Ａを厚さ方向に貫通する挿通孔１５が形成されている。
規制部１４は、ベース本体９Ａの中心を中心とする同一円周上に、周方向に等間隔をおいて配置されていると共に、挿通孔１５も、ベース本体９Ａの中心を中心とする同一円周上に、周方向に等間隔をおいて配置されている。
【００１７】
また、ベース部材９の中心部には、厚さ方向に貫通状で且つ厚さ方向の軸心を有するネジ孔１６が形成されている。
このネジ孔１６は、ベース本体９Ａの中心部正面側に突設された円筒状の筒部１７の内面、及び、ベース本体９Ａの中心部に厚さ方向に貫通形成されると共に筒部１７の内周側の孔に連通する孔の内面に雌ネジを設けることにより形成されており、右ねじとされている。
ナット体１０は、バネ板材をプレス成形して形成されていて、安価に製造されており、図６にも示すように、前記ベース部材９の筒部１７に外嵌される嵌合孔１８を備えた基板部１９を備えている。
【００１８】
また、ナット体１０には、基板部１９（ベース部材９）から正面側に突出状とされた弾性片２０を有すると共に、基板部１９から背面側に突出状とされた係止片２１とを有し、弾性片２０は、ベース部材９の規制部１４に対応して６個設けられていて、ベース部材９の中心（ネジ孔１６）を中心とする同一円周上に等間隔をおいて配置されており、係止片２１は、弾性片２０間ごとに形成されていて、ベース部材９の挿通孔１５に挿通されると共にベース部材９に係止される。
各弾性片２０の内側の先端側には、プレス加工により弾性片２０自身を折曲することで形成されたネジ溝２２が設けられている。
【００１９】
そして、正面視において環状に配置された、弾性片２０のネジ溝２２（ネジ溝２２形成部分）によって、後述する保持具８の雄ねじ３４が螺合される雌ねじ部２３が構成されている。
この雌ねじ部２３は左ねじとされている
また、各弾性片２０の先端部２０Ａは、外方に傾斜状に形成されたガイド部とされている。
また、各弾性片２０の、基板部１９から突出する基部２０Ｂと、前記雌ねじ部２３形成部分との間には、外方に突出するように、く字形に屈曲されていて、ベース部材９の規制部１４に接当する屈曲部２０Ｃが形成されている。
【００２０】
脚体１１は、前記規制部１４に対応して６個設けられ、図２に示すように、正面視において、規制部１４から外方側に突出するように放射状に配置されており、図７にも示すように、突出方向に長い正面壁２４と、この正面壁２４の長手方向に直交する方向の両側から延設された一対の側壁２５とを有し、一対の側壁２５は、両側壁２５の長手方向中途部から対向方向内側に向けて延設された延設壁２６を有する。
前記正面壁２４の正面側（壁背面２Ａに接当する接当面）はフラットな面に形成され、また、この正面壁２４の基部側には嵌合孔２７が形成されており、この嵌合孔２７はベース部材９の規制部１４に外嵌されている。
【００２１】
また、この脚体１１の基部側は、図１０にも示すように、前記ナット体１０の弾性片２０の屈曲部２０Ｃと、ベース部材９の規制部１４とによって、これら規制部１４と弾性片２０との間から外れるのが防止されている。
また、図１０に仮想線で示すように、弾性片２０を、屈曲部２０Ｃが規制部１４から離れるように弾性変形させることにより、脚体１１の基部側を規制部１４と弾性片２０との間から取り外せるように構成されている。
この構成によって、脚体１１は、ベース部材９に対して、確実に外れ止めされると共に、該ベース部材９から容易に取り外せるように構成されている。
【００２２】
なお、脚体１１が着脱自在とされているので、壁２に形成された挿通孔６（手摺り３の取付位置）の近傍に、間柱等があって、脚体１１が間柱等に干渉する場合に、この干渉する脚体１１を取り外すことにより、間柱等の近傍にも、取付具４を取り付けることができるようになっている。
また、嵌合孔２７は規制部１４に遊嵌されていて、脚体１１は、揺動自在とされており、これによって、脚体１１は、図４に実線で示すように、挿通孔６の軸心方向に沿う閉じ姿勢（折り畳み姿勢）と、図１に示すように、壁２の背面２Ａに接当する（壁２の背面２Ａに沿う）開き姿勢とに姿勢変更自在とされている。
【００２３】
なお、脚体１１は、開き姿勢にあっては、側壁２５の接当部２５ａがベース部材９の切欠部１３に接当すると共に、嵌合孔２７の基部側の面が規制部１４に接当することにより、背面側への揺動が規制されている。
また、脚体１１は、閉じ姿勢にあっては、嵌合孔２７が規制部１４から外れることにより、該閉じ姿勢への揺動が許容されるようになっている。
バネ体１２は、バネ板材よって構成され、ベース部材９の背面側に配置された基板部２８を有する。
【００２４】
このバネ体１２の基板部２８の中心には、ベース部材９のネジ孔１６に対応する孔２９が形成されると共に、この孔２９を中心とする同一円周上に形成されていて、ベース部材９の挿通孔１５に連通する挿通孔３０が形成されている。
図９に示すように、前記ナット体１０の係止片２１は、ベース部材９の挿通孔１５及びバネ体１２の挿通孔３０を貫通して、バネ体１２の背面側に突出していると共に、この係止片２１の突出部分を外側に折曲することにより、ベース部材９に、ナット体１０とバネ体１２とが取付固定されている。
【００２５】
また、バネ体１２には、バネ片３１が放射状に突出するように形成され、このバネ片３１は前記脚体１１の数に対応する数、形成されていて、脚体１１の正面壁２４の背面側空間に挿入状とされている。
また、このバネ片３１は、正面側に向かうにしたがって外方に移行する傾斜状に折曲形成されており、脚体１１を、閉じ姿勢と開き姿勢との間の、図３に示す中間姿勢（傾斜姿勢）に保持している。
したがって、バネ片３１は、脚体１１を閉じ姿勢にすると、脚体１１を閉じ姿勢から中間姿勢へと付勢し、脚体１１を開き姿勢にすると、脚体１１を開き姿勢から中間姿勢へと付勢する。
【００２６】
なお、この脚体１１の中間姿勢の傾斜角度は、図例の角度に限定されることはなく、適宜設計変更可能である。
前記支持部材５は、取付具本体７を、壁２の表面２Ｂ側から背面２Ａ側へと配置する際（取付具本体７を挿通孔４に挿通させる際）において、取付具本体７を支持するのに使用されるものであって、図４に示すように、金属製棒材によって形成されており、先端部にベース部材９のネジ孔１６に螺合される雄ねじ部３２が形成されており、後端側に径方向外方に突出する径方向一対の係合突起３３が形成されている。
【００２７】
前記保持具８は樹脂製であり、図１１〜図１３にも示すように、外周面に雄ねじ３４が形成された円筒状の軸部３５と、この軸部３５の一端側（基端側）に設けられた、径方向外方に張り出すフランジ部３６とから主構成されている。
この保持具８の軸部３５の雄ねじ３４は、前記取付具本体７のナット体１０の雌ねじ部２３に螺合されるように左ねじとされている。
また、この雄ねじ３４の外径は、雌ねじ部２３の谷の径よりも大に形成されている。
【００２８】
また、軸部３５の内周側の径は、前記支持部材５を十分に挿通できる大きさに形成されている。
また、軸部３５の内周面には、軸方向全長に亘って形成されていて、前記支持部材５の係合突起３３が係合する、径方向一対の係合溝３７が形成されている。
この係合溝３７は軸部３５の軸心方向全長に亘って形成されているので、保持具８を、支持部材５の後端側から外嵌可能である（支持部材５を後端側から軸部３５に挿通可能である）。
【００２９】
前記フランジ部３６の内周側部分３６Ａは厚肉に形成されていて、壁２に形成された挿通孔６に嵌まって位置決めをし、フランジ部３６の外周側部分３６Ｂは薄肉に形成されていて、壁２の表面側２Ｂの挿通孔６周囲に接当する。
また、フランジ部３６には、径方向に平行な一対のスリット３８によって形成された一対の摘み片３９が、径方向対称位置に形成されている。
また、フランジ部３６の正面側の、摘み片３９の基部側には、スリット３８間に亘るＶ字状の溝４０が形成され、図１３に仮想線で示すように、摘み片３９を溝４０のところで折ることで、摘み片３９を正面側に起こし得るようになっている。
【００３０】
また、フランジ部３６の背面側の基部側には、円弧状のガイド面４２が形成されている。
また、フランジ部３６の内周側部分３６Ａの背面外周部で且つ摘み片３９以外の部分には、背面側に突出する突出壁４３が形成され、この突出壁４３の内側に、前記フランジ部３６基部側のガイド面４２に連続するガイド面４４が形成されている。
この保持具８の軸部３５は、比較的長尺に形成されており、壁２の厚さに応じた長さに適宜カットして使用する。
【００３１】
前記構成の取付装置１にあっては、図４に示すように、保持具８の軸部３５に支持部材５を挿通すると共に、支持部材５の雄ねじ部３２をベース部材９のネジ孔１６に正面側から螺合する。
なお、保持具８は、後から支持部材５に外嵌してもよい。
この状態で、図４に実線で示すように、脚体１１を閉じ姿勢にした状態で、取付具本体７を背面側から、壁２に形成した挿通孔６に、表面２Ｂ側から背面２Ａ側へと挿通させると、脚体１１は、図４に仮想線で示すように、壁２の背面２Ａ側にて、開いて中間姿勢となる。
【００３２】
次に、支持部材５を引いて、脚体１１の正面壁２４を壁２の背面２Ａ側に押圧させると、脚体１１が開き姿勢となり、次に、この状態を維持して、保持具８の雄ねじ３４を、取付具本体７のナット体１０の雌ねじ部２３に螺合する。
このとき、フランジ部３６の摘み片３９を引き起こして、該摘み片３９を指でつまんで保持具８を回すようにする。
もし、保持具８に摘み片３９がないと、フランジ部３６の外周側部分３６Ｂは薄肉に形成されているので、保持具８を回すのが困難であるが、摘み片３９があることで、保持具８を容易に回すことができる。
【００３３】
そして、ある程度手で保持具８を回すと、今度は、支持部材５を回して、雄ねじ部３２をネジ孔１６から螺退させて抜脱し、支持部材５の係合突起３３を保持具８の係合溝３７に係合させて、保持具８を増し締めする。
なお、雄ねじ３４の雌ねじ部２３への螺合を終えると、摘み片３９を元の平坦状態に戻しておく。
以上のようにして、図１に示すように、脚体１１と、保持具８のフランジ部３６の外周側部分３６Ｂとで壁２が挟持されることで、取付具本体７が壁２に取り付けられて保持される。
【００３４】
ネジ孔１６及び雄ねじ部３２が右ねじとされ、ナット体１０の雌ねじ部２３及び保持具８の雄ねじ３４が左ねじとされている（逆であってもよい）ので、取付具本体７を壁２に取り付ける際において、取付具本体７が、保持具８と連れ回りすることがなく、取付具本体７が支持部材５の雄ねじ部３２から外れるということがない。
また、雄ねじ３４の外径は、雌ねじ部２３の谷の径よりも大に形成されており、雄ねじ３４を雌ねじ部２３に螺合する際に、弾性片２０は拡開しようとするが、規制部１４によって該弾性片２０の拡開が規制されるので、雌ねじ部２３の一番奥部の山部が雄ねじ３４の谷部に食い込み、雄ねじ３４が雌ねじ部２３に強固に螺合（締結）されるようになっている。
【００３５】
以上のようにして、壁２に取り付けられた取付具４に対して、図１に示すように、保持具８の軸部３５に挿通されてネジ孔１６に螺合される取付ボルト４５によって、手摺り３が取り付けられる。
すなわち、図１において、４６は、手摺り３の端部側に設けられた固定部で、この固定部４６には、取付ボルト４５によって壁２に固定される被取付部４７が備えられており、取付ボルト４５を、その先端側から手摺り３の被取付部４７の挿通孔４８に挿通させた後、保持具８の軸部３５に挿通し、該取付ボルト４５をネジ孔１６に螺合させることで、手摺り３が取り付けられるようになっている。
【００３６】
また、脚体１１の正面壁２４の正面はフラットな面に形成されており、また、バネ体１２のバネ片３１は、脚体１１の正面壁２３の背面側に位置されているので、脚体１１の正面壁２４は、壁２の背面２Ａに面接触する。
これにより、例えば、壁２の背面２Ａに、発泡材等によって形成された板材が付着されている場合において、手摺り３に、脚体１１が壁２に押し付けられるような衝撃的な荷重が作用しても、脚体１１が壁２の背面２Ａ側に食い込むようなことがなく、強固な取付け状態を維持できる。
【００３７】
また、本発明の取付具４にあっては、脚体１１の正面壁２４を壁２の背面２Ａに接当させた状態で、ナット体１０の弾性片２０が挿通孔６から突出するような、厚さが薄い壁２であっても、取付具４を壁２に取り付けることができる。
すなわち、取付具４を壁２に取り付けた状態にあっては、図１４に示すように、取付具本体７は、脚体１１は壁２の背面２Ａに対して傾斜状となって、その先端側が壁２の背面２Ａに接当している。
この状態において、バネ体１２のバネ片３１の付勢力は、脚体１１の先端側を壁２の背面２Ａに押し付けるように作用しているので、取付具本体７が、ガタつきなく、しっかりと保持されている。
【００３８】
そして、手摺り３を取り付けるボルト４５をネジ孔１６に螺合させていくと、取付具本体７のベース部材９が正面側へと引き寄せられていく。
このとき、弾性片２０の先端部２０Ａが、正面に向かうにしたがって外方に移行する傾斜状に形成されていること、及び、保持具８のガイド面４２，４４が円弧状に形成されていることにより、図１５に示すように、弾性片２０が保持具８のガイド面４２，４４に案内されて、外方に折曲され、これによって、ベース部材９の正面側への移動が許容される。
【００３９】
また、弾性片２０の基部側は規制部１４によって拡開が規制されているので、雌ねじ部２３の奥部分の山部が、保持具８の軸部３５に食い込んで、該軸部３５を強固にホールドしている。
したがって、ボルト４５を締め付けた後に、該ボルト４５をネジ孔１６から抜脱しても、取付具本体７が保持具８から離れて脱落するということがない。
以上のように本発明の取付具４にあっては、薄厚の壁２に対応させるために、ナット体１０の弾性片２０の長さを短くする必要はなく、また、雌ねじ部２３及び雄ねじ３４のねじのピッチを大きく採ることができ、本発明の取付具４にあっては、４ｍｍ以下の薄厚の壁２等にも適用可能である。
【００４０】
なお、本発明は前述した実施の形態のものに、限定されることはなく、適宜設計変更可能であり、規制部１４、脚体１１、弾性片２０等の数は限定されない。
また、本実施の形態において、前述した各部材の材質は、特に限定されることはなく、他の材質のものを使用できる。
【００４１】
【発明の効果】
本発明によれば、保持具の軸部が螺合される雌ねじ部が、複数の弾性片をプレス加工することで該弾性片に形成されたネジ溝によって構成されているので、取付具本体を安価に製造できる。
また、本発明にあっては、脚体を壁の背面に接当させた状態で、雌ねじ部を構成する弾性片が壁の挿通孔から突出するような、厚さが薄い壁であっても、取付具本体を壁に保持できる。
【００４２】
すなわち、取付具本体の雌ねじ部に保持具の軸部を螺合し、被取付体の被取付部で保持具のフランジ部を押さえた状態で、取付ボルトを被取付部及び保持具の軸部に挿通させると共に、取付具本体のネジ孔に螺合し、取付ボルトを締め付けてベース部材を引き寄せると、雌ねじ部は弾性片によって構成されているので、該弾性片がフランジ部に設けられたガイド面に案内されて変形し、これによって、取付具本体を壁に保持でき、被取付体が取り付け可能である。
また、ベース部材に、弾性片の基部側の拡開を規制する規制部を設けることにより、保持具の軸部が取付具本体の雌ねじ部にしっかりとホールドされる。
【００４３】
また、脚体は、ベース部材から突出状に設けられると共に基部側がベース部材に揺動自在に支持されていて、壁の挿通孔に挿通する方向に沿う閉じ姿勢と、壁の背面に接当する開き姿勢とに姿勢変更自在とされ、取付具本体には、脚体を、閉じ姿勢又は開き姿勢から、閉じ姿勢と開き姿勢との間の中間姿勢に付勢するバネ体を備えていることにより、取付具本体を保持具で保持した状態において、脚体の基部側が壁背面から若干浮いていても、バネ体の付勢力により、取付具本体はガタ付きなく、壁に保持される。
【００４４】
また、脚体の、壁背面に接当する接当面がフラットな面に形成されていることにより、例えば、壁の背面に、発泡材等によって形成された板材が付着されている場合において、被取付体に、脚体が壁背面に押し付けられるような衝撃的な荷重が作用しても、脚体が壁背面に食い込むようなことがなく、強固な取付け状態を維持できる。
また、取付具本体のネジ孔に螺合される雄ねじ部を有していて、取付具本体を壁の挿通孔に挿通させる際に取付具本体を支持する支持部材を備えると共に、ネジ孔又は雌ねじ部の、一方が右ねじとされ、他方が左ねじとされていることにより、取付具本体を壁に取り付ける際において、取付具本体が、保持具と連れ回りすることがなく、取付具本体が支持部材の雄ねじ部から外れて脱落するということがない。
【００４５】
また、保持具のフランジ部に、該フランジ部の一部を引起し可能とすることで構成された一対の摘み片を形成することにより、保持具の軸部を取付具本体の雌ねじ部に螺合させる際において、保持具を容易に回すことができ、また、保持具を回し終えると、摘み片を元にもどすことにより、該摘み片が邪魔者となることがない。
【図面の簡単な説明】
【図１】  被取付体を壁に取り付けた状態を示す側面断面図である。
【図２】  取付具の正面図である。
【図３】  図２のＡ−Ａ線矢示断面図である。
【図４】  取付装置の側面断面図である。
【図５】  ベース部材を示しており、（ａ）は側面図、（ｂ）は正面図である。
【図６】  ナット体を示しており、（ａ）は側面図、（ｂ）は正面図である。
【図７】  脚体を示しており、（ａ）は背面図、（ｂ）は側面図である。
【図８】  バネ体の正面図である。
【図９】  図２のＢ−Ｂ線矢示断面図である。
【図１０】  脚体の取付構造を詳細に示す側面断面図である。
【図１１】  保持具の正面図である。
【図１２】  図１１のＣ−Ｃ線一部断面矢示図である。
【図１３】  図１１のＤ−Ｄ線矢示断面図である。
【図１４】  取付具を薄厚の壁に仮止めした状態を示す側面断面図である。
【図１５】  取付具で薄厚の壁に被取付体を取り付けた状態を示す側面断面図である。
【図１６】  従来の取付装置の側面断面図である。
【図１７】  従来の取付装置の分解斜視図である。
【符号の説明】
１    取付装置
２    壁
２Ａ  壁背面
２Ｂ  壁表面
３    手摺り（被取付体）
５    支持部材
６    挿通孔
７    取付具本体
８    保持具
９    ベース部材
１１    脚体
１２    バネ体
１４    規制部
１６    ネジ孔
２０    弾性片
２２    ネジ溝
２３    雌ねじ部
３２    雄ねじ部
３５    軸部
３６    フランジ部
３９    摘み片
４５    取付ボルト
【図１】
0003936173.tif 000002
【図２】
0003936173.tif 000003
【図３】
0003936173.tif 000004
【図４】
0003936173.tif 000005
【図５】
0003936173.tif 000006
【図６】
0003936173.tif 000007
【図７】
0003936173.tif 000008
【図８】
0003936173.tif 000009
【図９】
0003936173.tif 000010
【図１０】
0003936173.tif 000011
【図１１】
0003936173.tif 000012
【図１２】
0003936173.tif 000013
【図１３】
0003936173.tif 000014
【図１４】
0003936173.tif 000015
【図１５】
0003936173.tif 000016
【図１６】
0003936173.tif 000017
【図１７】
0003936173.tif 000018